(57)【特許請求の範囲】
【請求項１】
ランド・グリッド・アレイ（ＬＧＡ）パッケージ基板上に載置されたダイの上面に、ヒート・パイプの一方端に取り付けられた伝導性プレートを通して、直接第１の圧縮荷重を加える段階であって、前記伝導性プレートは、前記ダイの上面に直接接触する、段階と、
前記ヒート・パイプの伝導性プレートの底面上の少なくとも２つの板ばねが前記ＬＧＡパッケージの上面と直接接触して、前記ＬＧＡパッケージ基板の上面に直接第２の圧縮荷重を加えて、２つの個別の加えた力に基づく前記第２の圧縮荷重が前記第１の圧縮荷重より大きな大きさを有する、段階と、
を含むことを特徴とする方法。
【請求項２】
前記ＬＧＡパッケージ基板上に載置されたダイの上面に直接第１の圧縮荷重を加える段階は、ねじを使用して、前記ヒート・パイプの前記伝導性プレートを前記ダイの前記上面に取り付ける段階を含むことを特徴とする請求項１記載の方法。
【請求項３】
前記第１の圧縮荷重は、４４．５と１３３．５（Ｎ）との間の大きさを有することを特徴とする請求項１記載の方法。
【請求項４】
前記第２の圧縮荷重は、２６７．０と４００．５（Ｎ）との間の大きさを有することを特徴とする請求項３記載の方法。
【請求項５】
前記ＬＧＡパッケージ基板上に載置されたダイの上面に第１の圧縮荷重を加える段階は、レバーにより作動される荷重メカニズムを使用して、前記ヒート・パイプの前記伝導性プレートを前記ダイの前記上面に取り付ける段階を含むことを特徴とする請求項１記載の方法。
【請求項６】
前記レバーにより作動される荷重メカニズムは、軸上で回転するレバーを含み、前記レバーは、前記伝導性プレートの上面に接触するための荷重部分を有することを特徴とする請求項５記載の方法。
【請求項７】
プリント回路板に載置されたランド・グリッド・アレイ（ＬＧＡ）ソケットと、
前記ＬＧＡソケット内に据え付けられたＬＧＡパッケージであって、前記ＬＧＡパッケージは、ＬＧＡパッケージ基板および前記ＬＧＡパッケージ基板上に載置された半導体ダイを含む、ＬＧＡパッケージと、
前記半導体ダイに取り付けられたヒート・パイプであって、前記ヒート・パイプは、第１の圧縮荷重を前記半導体ダイに直接加える伝導性プレートを含み、前記ヒート・パイプの前記伝導性プレートは、第２の圧縮荷重を直接前記ＬＧＡパッケージ基板に加える少なくとも２つの板ばねを含み、前記ＬＧＡパッケージ基板に加えられる第２の圧縮荷重は、前記板ばねの圧縮に基づいて、前記半導体ダイに加えられる前記第１の圧縮荷重より大きい大きさを有する、ヒート・パイプと、
を含むことを特徴とする機器。
【請求項８】
前記伝導性プレートによって前記半導体ダイに加えられる圧縮力は、４４．５と１３３．５（Ｎ）との間の大きさを有し、前記板ばねによって前記ＬＧＡパッケージ基板に加えられる圧縮力は、２６７．０と４００．５（Ｎ）との間の大きさを有することを特徴とする請求項７記載の方法。
【請求項９】
前記ＬＧＡソケットの下の前記プリント回路板の底部側に載置された背面板をさらに含むことを特徴とする請求項７記載の機器。
【請求項１０】
レバーにより作動される荷重メカニズムが前記プリント回路板および前記ヒート・パイプに結合され、荷重を前記ヒート・パイプに加えることを特徴とする請求項９記載の機器。
【請求項１１】
前記ヒート・パイプ、前記プリント回路板、および、前記背面板は、複数の固定具を使用いて、共に結合されることを特徴とする請求項９記載の機器。
【請求項１２】
前記複数の固定具は、複数のねじであることを特徴とする請求項１１記載の機器。
【請求項１３】
プリント回路板に載置されたランド・グリッド・アレイ（ＬＧＡ）ソケットと、
前記ＬＧＡソケット内に据え付けられたＬＧＡパッケージであって、前記ＬＧＡパッケージは、ＬＧＡパッケージ基板および前記ＬＧＡパッケージ基板上に載置された半導体ダイを含む、ＬＧＡパッケージと、
前記ＬＧＡソケット上に載置されたヒート・パイプであって、前記ヒート・パイプは、前記ヒート・パイプの一方端に伝導性プレートを含み、かつその伝導性プレートの底面上に少なくとも２つの板ばねを含み、前記伝導性プレートは、圧縮荷重を直接前記半導体ダイに加え、かつ前記少なくとも２つの板ばねは、圧縮力を直接前記ＬＧＡパッケージ基板の上面に加え、前記ＬＧＡパッケージ基板に加えられた前記圧縮力は、前記板ばねの圧縮に基づいて、前記半導体ダイに加えられる前記圧縮荷重より大きな大きさを有する、ヒート・パイプと、
を含むことを特徴とする機器。
【請求項１４】
前記伝導性プレートによって前記半導体ダイに加えられる圧縮力は、４４．５と１３３．５（Ｎ）との間の大きさを有し、前記板ばねによって前記ＬＧＡパッケージ基板に加えられる圧縮力は、２６７．０と４００．５（Ｎ）との間の大きさを有することを特徴とする請求項１３記載の機器。
【請求項１５】
前記ＬＧＡパッケージ基板上に載置されたダイの上面に圧縮荷重を加えることは、ねじを使用して、前記ヒート・パイプの前記伝導性プレートを前記ダイの前記上面に取り付けることを含むことを特徴とする請求項１３記載の機器。
【請求項１６】
前記ＬＧＡパッケージ基板上に載置されたダイの上面に圧縮荷重を加えることは、レバーにより作動される荷重メカニズムを使用して、前記ヒート・パイプの前記伝導性プレートを前記ダイの前記上面に取り付けることを含むことを特徴とする請求項１３記載の機器。
【請求項１７】
前記レバーにより作動される荷重メカニズムは、軸上で回転するレバーを含み、前記レバーは、前記伝導性プレートの上面に接触するための荷重部分を有することを特徴とする請求項１６記載の機器。
【請求項１８】
伝導性プレートを含むヒート・パイプであって、前記伝導性プレートは、前記伝導性プレートの底面に取り付けられた少なくとも２つのばねを含み、前記少なくとも２つのばねの各々は、ランド・グリッド・アレイ（ＬＧＡ）パッケージ基板の上面に接触し、かつ圧縮荷重を加え、前記伝導性プレートの底面の一部は、圧縮荷重を前記ＬＧＡパッケージ基板上に載置されたダイの上面に加え、前記ＬＧＡパッケージ基板に加えられた前記圧縮荷重は、前記板ばねの圧縮に基づいて、前記ダイに加えられる前記圧縮荷重より大きな大きさを有する、ヒート・パイプ、
を含むことを特徴とする機器。
【請求項１９】
前記少なくとも２つのばねは、板ばねであることを特徴とする請求項１８記載の機器。
【請求項２０】
前記伝導性プレートによって前記半導体ダイに加えられる圧縮力は、４４．５と１３３．５（Ｎ）との間の大きさを有し、前記ばねによって前記ＬＧＡパッケージ基板に加えられる圧縮力は、２６７．０と４００．５（Ｎ）との間の大きさを有することを特徴とする請求項１８記載の機器。
【請求項２１】
前記ＬＧＡパッケージ基板上に載置されたダイの上面に圧縮荷重を加えることは、ねじを使用して、前記ヒート・パイプの前記伝導性プレートを前記ダイの前記上面に取り付けることを含むことを特徴とする請求項１８記載の機器。
【請求項２２】
前記ＬＧＡパッケージ基板上に載置されたダイの上面に圧縮荷重を加えることは、レバーにより作動される荷重メカニズムを使用して、前記ヒート・パイプの前記伝導性プレートを前記ダイの前記上面に取り付けることを含むことを特徴とする請求項１８記載の機器。
【請求項２３】
前記レバーにより作動される荷重メカニズムは、軸上で回転するレバーを含み、前記レバーは、前記伝導性プレートの上面に接触するための荷重部分を有することを特徴とする請求項２２記載の機器。
【発明の詳細な説明】
【技術分野】
【０００１】
モバイル・プラットフォーム用ランド・グリッド・アレイ（ＬＧＡ）ソケットの荷重メカニズムに関する。
【背景技術】
【０００２】
マイクロプロセッサのような半導体装置は、典型的にはパッケージ基板に積載され、ソケットを通ってマザーボードのようなプリント回路板（ＰＣＢ）に取り付けられる。ソケットは、パッケージ上の接続でインターフェイスを提供し、電力をパッケージに、また信号をパッケージ（および半導体装置）から他の装置へ分配する。ソケットとパッケージとの接続を形成するためのいくつかの技術がピン・グリッド・アレイ（ＰＧＡ）、ボール・グリッド・アレイ（ＢＧＡ）、およびランド・グリッド・アレイ（ＬＧＡ）を含めて存在する。
【０００３】
デスクトップ・プラットフォームのための典型的なＬＧＡパッケージは、半導体ダイおよびパッケージ基板のほぼ全てをカバーする一体化ヒート・スプレッダ（ＩＨＳ）を含む。ＬＧＡパッケージがソケットとプリント回路板に対して信頼性のある電気的な接続を有することを保証するために、圧縮荷重がＩＨＳに加えられる。
【０００４】
ノートまたはラップトップ・コンピュータのようなモバイル・プラットフォームあるいは他の携帯電子装置は、システムの高さ制限により一体化ヒート・スプレッダを含むデスクトップＬＧＡパッケージを利用することができない。
【図面の簡単な説明】
【０００５】
本発明の実施例は、次の図面と関連する以下の詳細な説明からよりよい理解が得られるであろう。
【０００６】
【図１Ａ】いくつかの実施例に従って、圧縮可能な板ばねを有するヒート・パイプを図示する。
【図１Ｂ】いくつかの実施例に従って、圧縮可能な板ばねを有するヒート・パイプを図示する。
【図１Ｃ】いくつかの実施例に従って、圧縮可能な板ばねを有するヒート・パイプを図示する。
【図１Ｄ】いくつかの実施例に従って、圧縮可能な板ばねを有するヒート・パイプを図示する。
【図２】いくつかの実施例に従って、レバーにより作動される荷重メカニズムを使用するヒート・パイプ・アセンブリの分解組立図を示す。
【図３】いくつかの実施例に従って、レバーにより作動される荷重メカニズムを図示する。
【図４】いくつかの実施例に従うねじ変位を使用するヒート・パイプ・アセンブリの分解組立図を図示する。
【図５】いくつかの実施例に従う背面板を図示する。
【図６】いくつかの実施例に従って、予め荷重されたスプリング・アセンブリを図示する。
【図７】いくつかの実施例に従って、背面板上に載置されたプリント回路板とソケット・アセンブリを図示する。
【図８】いくつかの実施例に従って、上板を使用する上部側荷重を図示する。
【図９Ａ】いくつかの実施例に従って、荷重するための背面板を図示する。
【図９Ｂ】いくつかの実施例に従って、荷重するための背面板を図示する。
【図１０Ａ】いくつかの実施例に従って、荷重するための背面板を使用するプリント回路板およびソケット・アセンブリを図示する。
【図１０Ｂ】いくつかの実施例に従って、荷重するための背面板を使用するプリント回路板およびソケット・アセンブリを図示する。
【図１１Ａ】いくつかの実施例に従って、背面板および上面板を使用するソケット・アセンブリの荷重中、荷重前、荷重後の側面図を図示する。
【図１１Ｂ】いくつかの実施例に従って、背面板および上面板を使用するソケット・アセンブリの荷重中、荷重前、荷重後の側面図を図示する。
【図１２】いくつかの実施例に従って、圧縮荷重をパッケージに与えるためのレバーにより作動される荷重メカニズムを図示する。
【図１３】いくつかの実施例に従って、圧縮荷重をパッケージに与えるためのレバーにより作動される荷重メカニズムの側面を図示する。
【図１４】いくつかの実施例に従って、レバーにより作動される荷重メカニズムの分解組立図を図示する。
【図１５】いくつかの実施例に従って、レバーにより作動される荷重メカニズムを用いてパッケージに与えられる圧縮荷重を図示する。
【図１６】いくつかの実施例に従って、プリント回路板に取り付けられる背面板を図示する。
【図１７】いくつかの実施例に従って、パッケージ、ソケット、プリント回路板、および、背面板上に載置された変形可能な上面板を図示する。
【図１８】いくつかの実施例に従って、ＬＧＡパッケージ用ヒート・パイプを図示する。
【図１９】いくつかの実施例に従って、圧縮荷重をダイに与えるヒート・パイプを図示する。
【図２０】いくつかの実施例に従って、ＬＧＡ保持メカニズムを図示する。
【図２１】いくつかの実施例に従って、ＬＧＡ保持メカニズムのアセンブリの分解組立図である。
【図２２】いくつかの実施例に従って、ＬＧＡ保持メカニズムを図示する。
【図２３】いくつかの実施例に従って、ＬＧＡ保持メカニズムを図示する。
【０００７】
図示の簡素化および明確化のために、図面中に示された要素は、必ずしも実際の寸法どおりではないことを認識すべきである。例えば、いくつかの要素の寸法は、明確化のために他の要素に比べて誇張されることがある。さらに、適切であると考えられる場合、参照数字は、対応あるいは類似する要素を示すために、図面間で繰り返される。
【発明を実施するための形態】
【０００８】
以下の説明では、多数の特定の詳細事項が述べられる。しかしながら、これらの特定の詳細事項がなくても本発明の実施例を実施できるが理解されるであろう。他の例では、周知の回路、構造および技術は、この説明についての理解を不明瞭にしないため、詳細には示されていない。
【０００９】
「一実施例」、「ある実施例」、「実施例」、「様々な実施例」などは、図示された本発明の実施例が特定の特徴、構造あるいは特性を含むが、全ての実施例が必ずしも特定の特徴、構造あるいは特性を含むものではないことを示す。さらに、いくつかの実施例は、他の実施例のために説明された特徴のうちのいくつか、全て、あるいはまったく有しない場合もある。
【００１０】
以下の説明および請求項において、用語「結合される」、「接続される」がそれらの派生語と共に使用される。これらの用語は、互いに類義語として意図されていないことが理解される。むしろ、特定の実施例では、「接続される」は、２またはそれ以上の要素が互いに直接の物理的あるいは電気的な接触にあることを示すために使用される。「結合される」は、２またはそれ以上の要素が互いに協動あるいは相互作用することを示すために使用されるが、それらは直接の物理的あるいは電気的な接触にない場合でもよい。
【００１１】
図１Ａ−図１Ｄは、いくつかの実施例に従って、圧縮可能な板ばねを有するヒート・パイプ１０２を示す。図１Ａは、ヒート・パイプ１０２の上面／側面をみた斜視図を示す。ヒート・パイプ１０２は、プロセッサあるいは熱を生成する他のコンポーネントからの熱をヒート・パイプ１０２の一方端にあるヒート・シンク１０６に熱を伝えるための他方端にある伝導性プレート１０４を有する。いくつかの実施例では、伝導性プレート１０４は、およそ０．５〜２ｍｍの厚さを有する金属板である。伝導性プレート１０４は、上面１０８および底面１１０を有する。伝導性プレートの上面１０８はヒート・パイプ１０２に接続される。伝導性プレート１０４の底面１１０は、２またはそれ以上の板ばね１１２を含み、半導体パッケージ基板と接触し、圧縮荷重を与える。伝導性プレートは、さらに複数のスルーホール１１４を含む。スルーホール１１４は、ランド・グリッド・アレイ（ＬＧＡ）ソケットに据え付けられた電子コンポーネントのような、プリント回路板上のコンポーネントにヒート・パイプ１０２を取り付けるために用いられてもよい。
【００１２】
図１Ｂは、図１Ａのヒート・パイプ１０２の側面図である。上記のように、板ばね１１２は、ヒート・パイプの伝導性プレート１０４の底面１１０に載置される。板ばね１１２は、ＬＧＡソケット内に据え付けられたパッケージ基板に圧縮荷重を直接与えるために使用されてもよい。いくつかの実施例では、板ばね１１２は、金属である。板ばねは、いくつかの実施例では、およそ０．５ｍｍの厚さを有し、パッケージ基板上におよそ２６７．０Ｎ（ニュートン）の大きさを有する荷重を生成することができる。０．５ｍｍより厚い厚さを有する板ばねは、２６７．０Ｎを越える荷重を生成することができる。板ばねが圧縮される場合、それら板ばねは、完全に水平か、あるいはほぼ完全に水平となり、それにより、モバイル・プラットフォーム用の厳格な高さ条件を満たす。いくつかの実施例では、パッケージ基板に圧縮荷重を直接適用するために、別のタイプのばねが伝導性プレート１０４の底面に取り付けられてもよい。
【００１３】
図１Ｃは、図１Ａのヒート・パイプ１０２の正面図を示す。板ばね１１２は、互いに距離ｄだけ分離される。いくつかの実施例では、距離ｄは、ＬＧＡパッケージ上に取り付けられた半導体ダイの幅より大きな距離である。したがって、板ばねは、半導体ダイにまたがり、ＬＧＡパッケージの上面とのみ接触し、それにより、パッケージ基板の上面に圧縮荷重を直接適用する。伝導性プレート１０４の底面１１０は、半導体ダイの上面との接触を形成し、それにより、半導体ダイの上面に圧縮荷重を直接適用する。
【００１４】
図１Ｄは、ヒート・パイプ１０２の底／側面をみた斜視図を示す。図１Ａ−図１Ｃ中に示され記述されているように、板ばね１１２は、伝導性プレート１０４の底面１１０に取り付けられる。板ばね１１２は、距離ｄだけ分離され、ＬＧＡパッケージに取り付けられたダイの幅より大きい。板ばね１１２は、板ばね保持メカニズム１１６によって適切に保持される。１つの板ばね保持メカニズム１１６は、板ばね１１２の各終端を適切に保持する。保持メカニズム１１６は、圧縮されたとき板ばねが平らになるように、その板ばね１１２がある程度移動でき、それにより、圧縮荷重をＬＧＡパッケージ基板に適用する。
【００１５】
図２は、レバーにより作動される荷重メカニズムを使用するプリント回路板に図１Ａ−図１Ｄのヒート・パイプ１０２のアセンブリを取り付ける三次元分解組立図である。プリント回路板２００は、プリント回路板の上面２１４上に取り付けられたランド・グリッド・アレイ（ＬＧＡ）ソケット２０２を有する。プリント回路板は上面および底面の双方上に取り付けられたコンポーネントを有するが、ここに記述されるように、プリント回路板の上面は、ＬＧＡソケットが取り付けられる表面である。ＬＧＡパッケージ２０３は、ＬＧＡソケット２０２内に据え付けられる。ＬＧＡパッケージは、ＬＧＡパッケージ基板２０４、および、ＬＧＥパッケージ基板２０４の上面上で取り付けられた半導体ダイ２０６を含む。いくつかの実施例では、半導体ダイは、マイクロプロセッサ、チップセット、メモリ装置、あるいは他のタイプの電子コンポーネントであってよい。いくつかの実施例では、複数の半導体ダイ２０６がＬＧＡパッケージ基板２０４の上面に取り付けられる。いくつかの実施例では、熱インターフェイス材料（ＴＩＭ）層は、半導体ダイとヒート・パイプ１０２の伝導性プレート１０４との間で、半導体ダイ２０６の上面に載置される。
【００１６】
レバーにより作動される荷重メカニズム２０８は、ＬＧＡソケット２０２上に取り付けられる。いくつかの実施例中では、ＬＧＡソケット２０２は、組立ての際に、レバーにより作動される荷重メカニズム２０８の内部に据え付けられる。レバーにより作動される荷重メカニズム２０８は、軸２１１のまわりでピボット回転する起動レバー２１０を含み、適切な場所にヒート・パイプ１０２を保持し、かつダイ２０６およびパッケージ基板２０４に個別の圧縮荷重を適用する。
【００１７】
いくつかの実施例では、オプションの背面板２１８は、ＬＧＡソケット２０２直下の、プリント回路板２００の底面２１６に取り付けられる。背面板２１８、ＬＧＡソケット２０２、およびレバーにより作動される荷重メカニズム２０８は、互いに整列する。背面板２１８は、ＬＧＡソケット２０２の下および／またはその周りの領域でプリント回路板２００に堅牢性を提供することができる。
【００１８】
背面板２１８、プリント回路板２００、およびレバーにより作動される荷重メカニズム２０８は、固定メカニズム２１２を使用して、互いに固定される。固定メカニズム２１２は、ねじ、ナット、ボルト、クリップ、あるいはプリント回路板の組立工程で使用するためにふさわしい他のあらゆるスルーホール固定メカニズムである。
【００１９】
ヒート・パイプ１０２の伝導性プレート１０４は、レバーにより作動される荷重メカニズム２０８がプリント回路板２００に付けられた後に、レバーにより作動される荷重メカニズム２０８に据え付けられる。
【００２０】
図３は、いくつかの実施例に従う図２のアセンブリを示す。レバーにより作動される荷重メカニズム２０８がプリント回路板２００に付けられた後、ヒート・パイプ１０２の伝導性プレート１０４は、レバーにより作動される荷重メカニズム２０８に据え付けられる。その後、保持メカニズム２０８のレバー２１０は２２０のように起動される。いくつかの実施例では、レバー２１０は、クリップ２２２の下の場所にはまる。レバー２１０が伝導性プレート１０４上に適切に固定されると、レバー荷重部２２４は、伝導性プレート１０４と接触し、荷重を与える。伝導性プレートの板ばね１１２は、ＬＧＡパッケージ基板（図２、２０４）の上面に接触し、ＬＧＡパッケージ基板に直接ほぼ２６７．０−３５６．０Ｎの圧縮荷重を適用するために完全にあるいはほぼ完全に圧縮される。伝導性プレート１０４の底面は、ダイ（図２、２０６）の上面に接触し、そのダイに直接ほぼ１３３．５−１７８．０Ｎの圧縮荷重を適用する。このように、レバー２１０が完全に起動し固定されると、ほぼ４００．５−５３４．０Ｎの総荷重が伝導性プレート１０４および板ばね１１２によってダイおよびパッケージ基板にそれぞれ与えられる。
【００２１】
図４は、ねじ変位荷重メカニズムを使用するプリント回路板に図１Ａ−図１Ｄのヒート・パイプ１０２のアセンブリを取り付ける三次元分解組立図である。図２に関して上述されるように、プリント回路板２００は、プリント回路板の上面に取り付けられたＬＧＡソケット２０２を有する。ＬＧＡパッケージは、ＬＧＡソケット２０２内に据え付けられ、そのＬＧＡパッケージは、パッケージ基板２０４、およびパッケージ基板２０４上に取り付けられた半導体ダイ２０６を含む。
【００２２】
背面板４０２は、ＬＧＡソケットの直下で、プリント回路板２００の底部側に取り付けられる。背面板は、固定レセプタクル４０４を含み、それはいくつかの実施例中ではプリント回路板２００中のホール４０５を通って部分的にあるいは完全に延伸する。
【００２３】
ヒート・パイプ１０２の伝導性プレート１０４は、固定具４０６でプリント回路板２００および背面板４０２に取り付けられる。固定具４０６は、伝導性プレート１０４中のスルーホール１１４を通って伸び、背面板４０２の固定レセプタクル４０４によって受け入れられる。いくつかの実施例では、固定具４０６はねじである。
【００２４】
固定具４０６が背面板４０２の固定レセプタクル４０４に入れられ、きつく締められると、伝導性プレート１０４の底面はダイ２０６に接触して圧縮荷重を適用し、板ばね１１２はパッケージ基板２０４と接触して圧縮荷重を適用する。板ばね１１２は、ＬＧＡパッケージ基板２０４に直接ほぼ２６７．０−３５６．０Ｎの圧縮荷重を適用するために完全にあるいはほぼ完全に圧縮される。伝導性プレート１０４の底面は、ダイにほぼ１３３．５−１７８．０Ｎの圧縮荷重を直接適用する。したがって、固定具またはねじ４０６が予め定めるレベルに締め付けられると、ほぼ４００．５−５３４．０Ｎの総負荷がダイおよびパッケージ基板に与えられる。
【００２５】
図５は、いくつかの実施例に従って、予め荷重したスプリング・アセンブリを含む背面板を示す。いくつかの実施例では、ＬＧＡパッケージ基板上部の上面を使用して荷重が適用され、それは底板５０２によって反動を受ける。その底板は、底板５０２の４つのコーナの各々に予め荷重したスプリング・アセンブリ５０４を含む。
【００２６】
図６は、いくつかの実施例に従って、図５の予め荷重されたスプリング・アセンブリ５０４の断面図を示す。予め荷重されたスプリング・アセンブリ５０４は、インナー部５０８およびアウター部５１０を含む。スプリング・アセンブリ５０４の内部のスプリング５０６が圧縮されるかあるいは減圧される場合、インナー部５０８およびアウター部５１０は、互いに移動する。各スプリング、アセンブリは、予め荷重され、およそ２２．３−４４．５Ｎの圧縮荷重を提供する。合計４つの予め荷重されたスプリング・アセンブリが使用される場合、スプリング・アセンブリによってＬＧＡパッケージ基板に適用される圧縮荷重の合計は、およそ８９．０−１７８．０Ｎである。
【００２７】
図７は、いくつかの実施例に従って、図５の背面板５０２上に置かれたプリント回路板とＬＧＡソケット・アセンブリを示す。背面板５０２は、ＬＧＡソケット２０２の直下で、プリント回路板２００の底部側にある。ＬＧＡパッケージ基板２０４および半導体ダイ２０６を含むＬＧＡパッケージは、ソケット２０２内に載置される。予め荷重したスプリング・アセンブリ５０４は、プリント回路板の下で平行に位置する、背面板５０２とコンピュータ・シャーシ５２０との間で置かれる。予め荷重したスプリング・アセンブリは、シャーシ５２０、背面板５０２、およびプリント回路板２００を接続する。
【００２８】
図８に示されるように、圧縮荷重は、図７のＬＧＡパッケージ、予め荷重したスプリング、および底板上に上板を置くことにより、ＬＧＡパッケージ２０４の上面側に与えられる。上板５１２は、剛性な板あるいは柔軟な板であればよい。いくつかの実施例では、上板５１２は、固定具５１４で、底板５０２および／または予め荷重したスプリング（図７、５０４）に結合され、その固定具５１４は、ねじあるいは他の固定メカニズムであればよい。上板５１２がダイ２０６のいずれの部分もカバーしないように、上板は、中空あるいは開口５１６を含む。その上板は、パッケージ基板２０４上面だけに接触し、圧縮荷重を直接パッケージ基板２０４に適用する。ヒート・パイプは、ダイ２０６の上面へ取り付けられ、圧縮荷重をダイに直接適用する。いくつかの実施例では、上板５１２は、個別の圧縮荷重をパッケージ基板およびダイに適用するために、図１Ａ−図Ｄのように、圧縮板ばねを有するヒート・パイプと取り替えてもよい。
【００２９】
図９Ａ−図９Ｂは、いくつかの実施例に従う荷重用背面板を示す。図９Ａは、いくつかの実施例に従う背面板９０２の側面を示す。背面板９０２は、その板の各コーナにタブ９１０を有し、各タブは、折曲角９０６を有する。タブ９１０の折曲角９０６は、背面板９０２に要求される荷重量によって決定される。大きな折曲角は、より多い荷重を提供し、その一方で、より小さな折曲角は、より少ない荷重を提供するであろう。所望の荷重に依存して、いくつかの実施例では、折曲角は、およそ５〜３０度である。また、タブ９１０は、それぞれさらに固定具９０４を含むが、それはいくつかの実施例では、拘束ネジである。
【００３０】
図９Ｂは、図９Ａの背面板９０２の斜視図を示す。背面板９０２は、各コーナにタブ９１０を有し、各タブ９１０は、その板に対して角度をもって折り曲げられ、固定具９０４を有する。背面板は、いくつかの実施例において、さらに中央開口あるいは中空９０８を含む。この開口９０８は、ＬＧＡソケットの下にキャパシタおよび／または他の受動素子を取り付けるために、マザーボードの裏面に空間を与えるために提供される。
【００３１】
図１０Ａ−図１０Ｂは、いくつかの実施例に従って、図９Ａ−図９Ｂの荷重用背面板を使用するプリント回路板およびソケット・アセンブリを示す。図１０Ａは、プリント回路板２００上のＬＧＡソケット２０２の下に整合した背面板９０２を示す。ねじあるいは固定具９０４は、プリント回路板のホール９０５に整合する。背面板９０２および固定具９０４をプリント回路板２００の下に整合した後、図１０Ｂに示されるように、上板９１２がＬＧＡソケット２０２およびＬＧＡパッケージ基板２０４上に載置される。上板９１２がダイ２０６のいずれの部分もカバーしないように、上板９１２は、ダイ２０６のための開口９１４を有する。上板９１２のホール９１６は、固定具またはねじ９０４で位置調整する。
【００３２】
図１１Ａおよび図１１Ｂは、図９Ａ−図９Ｂおよび図１０Ａ−図１０Ｂの背面板および上板を使用するソケット・アセンブリの荷重前および荷重後の切断側面図を示す。図１１Ａに示されるように、ねじまたは固定具９０４が締められ、かつ荷重がパッケージ基板に適用される前に、背面板９０２は、各タブ９１０で折曲角９０６を有する。ねじまたは固定具９０４が締められると、角度のあるタブ９１０は平らになり、それにより、パッケージ基板２０４に圧縮荷重を適用する。上板９１２は、背面板９０２より硬い剛性を有していてもよく、それにより荷重が加えられたとき、変形しない。
【００３３】
いくつかの実施例では、個別の圧縮荷重が上板９１２の開口を通して露出されたダイの上面に適用される。その圧縮荷重は、例えばそのダイに結合されたヒート・パイプによって与えられる。
【００３４】
図１２は、いくつかの実施例に従って、パッケージに圧縮荷重を与えるためのレバーにより作動される荷重および保持メカニズムを示す。このメカニズムは、２つの保持レバー・モジュール１２０１，１２０３を含む。保持レバー・モジュール１２０１，１２０３は、プリント回路板２００、ＬＧＡソケット２０２の各横の１つ上で組み立てられる。荷重および保持メカニズムは、固定具１２０８でプリント回路板に固定され、それはいくつかの実施例では、ねじである。
【００３５】
モジュール１２０１は、レバー軸から外に伸びる中心部分１２０６を有するレバー１２０２を含み、レバー１２０２を完全に作動させると、中心部分１２０６はＬＧＡパッケージ基板上面と接触する。モジュール１２０３は、レバー軸から外に伸びる中心部分１２０６を有する短いレバー１２０４を含み、レバー１２０２を完全に作動させると、ＬＧＡパッケージ基板２０４の上面と接触する。ＬＧＡパッケージ２０４の上面は、レバー１２０２，１２０４の中心部分１２０６を置くランディング・パッド１２１０を含み、それにより、圧縮荷重を基板２０４に与える。
【００３６】
図１３は、いくつかの実施例に従って、図１２のレバーにより作動される荷重メカニズムの側面図を示す。背面板１２１２は、ＬＧＡソケット２０２および荷重／保持モジュール１２０１，１２０３直下のプリント回路板２００に取り付けられる。背面板は、レバーの中心部分１２０６によって与えられる荷重に対する反力を提供する。レバー１２０２は、小レバー１２０４を駆動し、それにより、中心レバー部１２０６を備えるＬＧＡパッケージ２０４の上面に圧縮荷重を適用する。
【００３７】
図１４は、いくつかの実施例に従って、図１２−図１３のレバーにより作動される荷重メカニズムの分解組立図を示す。図１２および図１３に関して上述されるように、荷重メカニズムは、２つのモジュール、すなわち短レバー１２０４を有するモジュール１２０３、長レバー１２０２を有するモジュール１２０１を含む。モジュール１２０１，１２０３は、ＬＧＡソケット２０２のいずれかの横部でプリント回路板２００に固定される。ねじあるいは他の固定具１２０８が保持メカニズムをプリント回路板に固定するために使用されてもよい。固定具またはねじ１２０８は、固定レセプタクル１２１４内に置かれ、ソケット２０２直下で、プリント回路板２００の底部に配置された背面板１２１２に統合される。
【００３８】
図１５は、いくつかの実施例に従って、図１２−図１４のレバーにより作動される荷重メカニズムを使用して、パッケージに適用される圧縮荷重を示す。レバー１２０２を下げると、同様にレバー１２０４も下がる。レバー１２０２，１２０４の中心部１２０６は、ＬＧＡパッケージ基板２０４の上面の領域１２１０と接触を形成し、その基板に圧縮荷重を適用する。レバーの部分１０６によってパッケージ基板２０４に与えられる圧縮荷重は、プリント回路板２００の底部側の荷重メカニズムに結合された背面板によって反力を受ける。いくつかの実施例では、別の圧縮荷重がダイ２０６の上面に、例えばヒート・パイプによって与えられてもよい。
【００３９】
図１６は、いくつかの実施例に従って、プリント回路板に取り付けられる背面板を示す。背面板１６０２は、上面取付けねじ１６０４あるいは別の固定メカニズムを使用して、ＬＧＡソケット２０２の下のプリント回路板２００に取り付けられる。背面板１６０２は、図１７に示されているように、変形可能な上板によって加えられた荷重に反応するように提供されてもよい。
【００４０】
図１７は、いくつかの実施例に従って、変形可能な上板１６０６を示す。変形可能な上板１６０６は、図１６の背面板１６０２、プリント回路板２００、およびＬＧＡソケット２０２上に載置される。適切な場所に固定されると、変形可能な上板１６０６は、ＬＧＡパッケージ基板２０４に荷重を与える。変形可能な上板１６０６は、上板１６０６によって適用されるいかなる荷重も、パッケージ基板２０４にのみ適用され、ダイ２０６に与えられないように、ダイ２０６に対する開口を含む。
【００４１】
図１８は、いくつかの実施例に従って、ＬＧＡパッケージのためのヒート・パイプを示す。ヒート・パイプ１６１０あるいは他の熱対策装置は、図１７の上板１６０６上に置かれ、上板１６０６を底板１６０２に取り付けるために使用されるのと同じ固定具１６０４を使用して、上板に取り付けられる。いくつかの実施例では、固定具１６０４は、ヒート・パイプ１６１０のねじまたはボルト固定具１６１６を受け入れるために、中央にねじが切られた中空を有するねじまたはボルトである。ヒート・パイプ１６１０は、底面１６１４を有する伝導性プレート１６１２を含む。固定具１６１６が固定具１６０４に結合され、締められると、伝導性プレート１６１２の底面１６１４は、ＬＧＡパッケージ上のダイ２０６の上面に接触し、圧縮荷重を適用する。
【００４２】
このように、圧縮荷重が上板１６０６によってＬＧＡパッケージ基板２０４に直接適用される一方、個別の圧縮荷重がヒート・パイプ１６１０によってダイ２０６の上面に直接適用される。図１９は、図１６−図１８に関して上述されたように、いくつかの実施例に従って、圧縮荷重をＬＧＡパッケージに取り付けられたダイに適用するヒート・パイプ１６１０の伝導性プレート１６１２を示す一方、変形可能な上板１６０６は、個別の圧縮荷重をＬＧＡパッケージ基板に適用する。
【００４３】
図２０は、いくつかの実施例に従って、ＬＧＡパッケージの保持および荷重メカニズムを示す。保持メカニズムは、３つの部分を含む。保持メカニズムの第１半部２００１は、レバー２００２およびレバーのラッチ部２０１２を含む。保持メカニズムの第２半部２００３は、荷重プレート２００４を適切な位置に保持するための開口またはスロット２００８を含む。荷重プレート２００４は、ダイのための中央開口２００５または中空、荷重プレート２００４を保持メカニズムの１つの半部にある開口２００８に係合するための第１リップ２００６、およびレバー２００２のラッチ部２０１２の下に係止される第２リップ２０１０を有する。いくつかの実施例では、図２０における荷重メカニズムの３つの個別部分は、単一のユニットあるいは２つの別個のユニットに統合されてもよい。
【００４４】
図２１は、いくつかの実施例に従って、プリント回路板２００に取り付けられる図２０におけるＬＧＡ保持メカニズムのアセンブリの分解組立図である。背面板２０１６は、ＬＧＡソケット２０２の直下で、プリント回路板２００の底部側に取り付けられる。保持メカニズムのアセンブリの第１半部２００１および第２半部２００３は、ＬＧＡソケット２０２のいずれかの側に整合される。保持メカニズム２００１，２００３、プリント回路板２００、および背面板２０１６は、４つの上面取付けねじ２０１４あるいは他の固定具を用いて互いに取り付けられる。
【００４５】
図２２は、いくつかの実施例に従って、図２０および図２１のＬＧＡ保持メカニズムを示す。荷重プレート・リップ２００６は、保持メカニズム中のスロット２００８に挿入される。そのリップとスロットの組み合わせは、ヒンジとして作用し、荷重プレート２００４が軸に沿って、矢印２００７の方向に開き閉じることを可能にする。ＬＧＡパッケージがＬＧＡソケット２０２内に据え付けられると、荷重プレート２００４は、パッケージ基板２０４上を閉じ、圧縮荷重をパッケージ基板２０４に適用する。レバーが矢印２０１１の方向に回転し、しっかり閉じられると、荷重プレート２００４のリップ２０１０は、レバー２００２のラッチ部分２０１２によって適所にラッチされる。
【００４６】
図２３は、閉まって、レバー２００２がラッチされ閉じられた後の図２２のＬＧＡ保持メカニズムを示す。レバー２００２がしっかりとラッチされると、それにより上面荷重プレート２００４は変形し、ＬＧＡパッケージ基板２０４に直接荷重を適用する。上板２００４は、ダイ２０６に荷重を適用しない。いくつかの実施例では、例えばダイの上面にヒート・パイプを取り付けることにより、個別の荷重をダイ２０６に適用してもよい。
【００４７】
いくつかの実施例では、図１−図２３に関して上に述された荷重メカニズムの各々は、低プロフィール・メカニズムであるが、合計でおよそ４ｍｍの最大高を有する。ここに開示された荷重メカニズムは、例えば１インチまたはそれより薄い厚さを有するモバイル・コンピューティング・システムに利用される。
【００４８】
このように、ランド・グリッド・アレイ・パッケージおよびダイ荷重メカニズムが様々な実施例で示された。上記記述で、多くの特定の詳細事項が述べられた。しかしながら、実施例は、これらの特定の詳細事項がなくても実施できることが理解される。他の例では、周知な回路、構造および技術は、この記述の理解を不明確にしないように詳細には示されていない。実施例は、その特定の典型的な実施例に関して説明された。しかしながら、この開示で利益を有する人にとって、ここに記述された実施例のより広い精神および範囲から逸脱することなく、様々な修正および変更がなされることが明らかであろう。したがって、詳細な説明および図面は、限定的な感覚ではなくむしろ例示的とみなされるべきである。
【図１Ａ】
0005520217.tif 000002
【図１Ｂ】
0005520217.tif 000003
【図１Ｃ】
0005520217.tif 000004
【図１Ｄ】
0005520217.tif 000005
【図２】
0005520217.tif 000006
【図３】
0005520217.tif 000007
【図４】
0005520217.tif 000008
【図５】
0005520217.tif 000009
【図６】
0005520217.tif 000010
【図７】
0005520217.tif 000011
【図８】
0005520217.tif 000012
【図９Ａ】
0005520217.tif 000013
【図９Ｂ】
0005520217.tif 000014
【図１０Ａ】
0005520217.tif 000015
【図１０Ｂ】
0005520217.tif 000016
【図１１Ａ】
0005520217.tif 000017
【図１１Ｂ】
0005520217.tif 000018
【図１２】
0005520217.tif 000019
【図１３】
0005520217.tif 000020
【図１４】
0005520217.tif 000021
【図１５】
0005520217.tif 000022
【図１６】
0005520217.tif 000023
【図１７】
0005520217.tif 000024
【図１８】
0005520217.tif 000025
【図１９】
0005520217.tif 000026
【図２０】
0005520217.tif 000027
【図２１】
0005520217.tif 000028
【図２２】
0005520217.tif 000029
【図２３】
0005520217.tif 000030